(57)【要約】【課題】ワイヤハーネスを保護するグロメットとプロテクタの相互間を抜け止め及び回り止め可能に接続することが、高い保持力をもって行えるようにする。【解決手段】  ワイヤハーネスが挿通される保護筒部３１を有したグロメット１３において、保護筒部３１の端部に、保護筒部３１よりも小径の外周面を有する筒状の元筒部３２と、プロテクタ１５の端部の保持部５１が外嵌合する被保持部３３を軸方向に沿って基部側から順に備え、被保持部３３に、元筒部３２の外周面を基準として該基準よりも外周側に突出する複数の凸部３４を周方向に沿って間隔をあけて備える。【選択図】図２
2018042317.tif 000002
【特許請求の範囲】
【請求項１】
ワイヤハーネスが挿通される保護筒部を有したグロメットであって、
前記保護筒部の端部に、前記保護筒部よりも小径の外周面を有する筒状の元筒部と、プロテクタの端部の保持部が外嵌合する被保持部とが軸方向に沿って基部側から順に備えられ、
前記被保持部に、前記元筒部の外周面を基準として該基準よりも外周側に突出する複数の凸部が備えられた
グロメット。
【請求項２】
前記凸部が、前記元筒部の断面形状の中心を上下に通る仮想垂直線で左右対称の位置に配設された
請求項１に記載のグロメット。
【請求項３】
前記凸部が、前記元筒部の断面形状の中心を左右に通る仮想水平線で上下対称の位置に配設された
請求項１または請求項２に記載のグロメット。
【請求項４】
前記凸部の基部に、前記元筒部の外周面位置を基準として該基準よりも外周側に肉盛部が形成された
請求項１から請求項３のうちいずれか一項に記載のグロメット。
【請求項５】
前記被保持部が、プロテクタ軸方向と直交し、前記プロテクタに対する差し込み方向に平行な平面を側面に有する
請求項１から請求項４のうちいずれか一項に記載のグロメット。
【請求項６】
前記被保持部における前記元筒部と反対側の端部に、前記プロテクタの内面に面接触する抵抗面を有した延設部が形成された
請求項１から請求項５のうちいずれか一項に記載のグロメット。
【請求項７】
前記延設部として筒状の先筒部が備えられた
請求項６に記載のグロメット。
【請求項８】
前記延設部として筒状の先筒部と、該先筒部の端から延びる舌片状の延設片が備えられた
請求項６に記載のグロメット。
【請求項９】
前記被保持部におけるプロテクタ軸方向、又は、グロメット軸方向と平行な面に突起部が形成された
請求項１から請求項８のうちいずれか一項に記載のグロメット。
【請求項１０】
ワイヤハーネスが挿通される保護筒部を備えたグロメットを保持する保持部を端部に有したプロテクタであって、
前記保持部に、前記保護筒部の端部に前記保護筒部よりも小径の外周面を有する筒状の元筒部と前記保持部が外嵌合する被保持部を軸方向に沿って基部側から順に備えた前記グロメットの前記被保持部に形成され、前記元筒部の外周面を基準として該基準よりも外周側に突出する複数の凸部が嵌る複数の嵌合凹部が備えられた
プロテクタ。
【請求項１１】
少なくとも前記保持部がワイヤハーネスを挿通状態で保持する本体部と、該本体部に被着する蓋部を有した
請求項１０に記載のプロテクタ。
【請求項１２】
前記嵌合凹部より端部側に、前記嵌合凹部に嵌合した前記グロメットにおける前記凸部の前記元筒部側の面に接する抜け止め片が形成された
請求項１１に記載のプロテクタ。
【請求項１３】
前記本体部と前記蓋部に相互に係合する係合構造を有し、
該係合構造の幅が、プロテクタ軸方向における前記嵌合凹部の長さよりも長く形成されるとともに、
前記係合構造の形成位置が前記嵌合凹部を有する部位とプロテクタ軸方向でオーバーラップする位置である
請求項１１または請求項１２に記載のプロテクタ。
【請求項１４】
前記係合構造が、板状の係合片と、該係合片が差し込まれる係合溝で構成され、前記係合片の内側に、対向する部材の上縁部が嵌る嵌入部が形成された
請求項１３に記載のプロテクタ。
【請求項１５】
前記本体部の上縁部に、前記グロメットの前記被保持部におけるプロテクタ軸方向、又は、グロメット軸方向と平行な面に形成され部分的に外方に突出する突起部が嵌る切欠き部が形成され、
該切欠き部の大きさが前記突起部と嵌合対応する大きさである
請求項１１から請求項１４のうちいずれか一項に記載のプロテクタ。
【請求項１６】
請求項１から請求項９のうちいずれか一項に記載のグロメットの被保持部と、請求項１０から請求項１５のうちいずれか一項に記載のプロテクタの保持部を接続して、内部にワイヤハーネスを保持した
ワイヤハーネス配索体。
【発明の詳細な説明】
【技術分野】
【０００１】
この発明は、たとえば車両にワイヤハーネスを配索する際に用いられるグロメットとプロテクタに関し、より詳しくはグロメットとプロテクタの相互間の接続構造に関する。
【背景技術】
【０００２】
グロメットはワイヤハーネスを覆う蛇腹状の保護筒部を有し、この保護筒部の端部に、車両のフレームに固定されるプロテクタが接続される。グロメットは弾性を有するゴムで形成されるのに対して、プロテクタは硬質の合成樹脂で形成されている。
【０００３】
このようなグロメットとプロテクタとの接続は、下記特許文献１に開示されているように、グロメットの接続筒部とプロテクタの接続部で行われていた。具体的には、プロテクタの突片状の連結部の表面にグロメットの接続筒部を添わせて、これら連結部と接続筒部の周囲に粘着テープを巻き付けて接続する。この接続構造での抜け止めと回り止めは、別体の粘着テープの保持力に依存することになる。
【０００４】
グロメットではなくてコルゲートチューブとプロテクタとを接続するものではあるが、別部材を用いずに抜け止めが行える接続構造には下記特許文献２に開示されたものがある。この接続構造は、プロテクタを構成する樋形状のプロテクタの本体とこれに被着する蓋の内面に、環状の山部と谷部を軸方向に交互に有したコルゲートチューブの谷部に嵌合係止する円弧状の係止リブを備えるというものである。この構成では係止リブがコルゲートチューブの抜け止めはするが回り止めはしない。
【先行技術文献】
【特許文献】
【０００５】
【特許文献１】特開２０１２−１９１７２２号公報
【特許文献２】特開２０１２−５２１７号公報
【発明の概要】
【発明が解決しようとする課題】
【０００６】
この発明は、グロメットとプロテクタとの接続部分の抜け止めと回り止めが高い保持力をもって行えるようにすることを主な目的とする。
【課題を解決するための手段】
【０００７】
そのための手段は、ワイヤハーネスが挿通される保護筒部を有したグロメットであって、前記保護筒部の端部に、前記保護筒部よりも小径の外周面を有する筒状の元筒部と、プロテクタの端部の保持部が外嵌合する被保持部とが軸方向に沿って基部側から順に備えられ、前記被保持部に、前記元筒部の外周面を基準として該基準よりも外周側に突出する複数の凸部が備えられたグロメットである。
【０００８】
この構成では、元筒部よりも外周側に突出する被保持部の複数の凸部がプロテクタの保持部の嵌合凹部に入り込んだ状態で嵌合して、抜け止めと回り止めがなされる。このときに、凸部が嵌合凹部の内面に面接触して摩擦抵抗を生み、保持力を高める。
【０００９】
このグロメットの発明の態様として、前記凸部は、前記元筒部の断面形状の中心を上下に通る仮想垂直線で左右対称の位置に配設されたものであるとよい。前記「上下」とは、グロメット軸方向と直交する任意の方向であり、グロメットがプロテクタに対して軸方向と直交する方向に嵌合して接続する構成である場合には、嵌合方向を「上下」方向とするとよく、このとき「下」は嵌合方向先端側を意味する。
【００１０】
この構成では、左右に均等な位置に配設された凸部が、プロテクタの嵌合凹部にバランスよく嵌合する。
【００１１】
このグロメットの発明の態様として、前記凸部は、前記元筒部の断面形状の中心を左右に通る仮想水平線で上下対称の位置に配設されたものであるとよい。前記「左右」とは、前記「上下」方向と直交する方向のうち、グロメット軸方向と直交する方向である。「グロメット軸方向」とは、グロメットが長手方向に真っ直ぐである場合にはその長手方向と同一方向、長手方向で曲がっている形状である場合には言及されている部位における芯を貫く方向である。
【００１２】
この構成では、上下に均等な位置に配設された凸部が、プロテクタの嵌合凹部にバランスよく嵌合する。
【００１３】
このグロメットの発明の態様として、前記凸部の基部に、前記元筒部の外周面位置を基準として該基準よりも外周側に肉盛部が形成されたグロメットとしてもよい。
【００１４】
元筒部が断面円形である場合であって凸部を備えたときに、凸部の基部を中心とした部分に形状保持力が得られないと予想される場合であっても、肉盛部が形状保持力を付与し、プロテクタの嵌合凹部に対する嵌合を容易にし、保持部による保持力を発揮させる。特に、凸部間に肉盛部を形成して平面を形成すると、平面部で連結される凸部同士の一体性を高められる。
【００１５】
また肉盛部を形成して凸部間に平面部を形成し、この平面部を被保持部における互いに相反する側の面に形成する場合、これらの、例えば上下や左右で相反する面の平面は互いに平行であると、形状保持力を高め、プロテクタに対する嵌合をしやすくできる。
【００１６】
このグロメットの発明の態様として、前記被保持部が、プロテクタ軸方向と直交し、前記プロテクタに対する差し込み方向に平行な平面を側面に有するグロメットとしてもよい。前記「プロテクタ軸方向」とは、前述したグロメット軸方向と同様に、プロテクタが長手方向に真っ直ぐである場合にはその長手方向と同一方向、長手方向で曲がっている形状である場合には言及されている部位における芯を貫く方向である。
【００１７】
この構成では、被保持部の平行な平面からなる側面が、プロテクタの保持部に対する差し込みを容易にする。
【００１８】
このグロメットの発明の態様として、前記被保持部における前記元筒部と反対側の端部に、前記プロテクタの内面に面接触する抵抗面を有した延設部が形成されたグロメットとしてもよい。「プロテクタの内面」とは適宜形成されるプロテクタの内側に存在する面であれば例えば平面であっても薄板状のリブの上面などであってもよい。
【００１９】
この構成では、延設部の抵抗面がプロテクタの内面に面接触して摩擦抵抗を生じさせ、抜け止めに資する。
【００２０】
前記延設部を形成する場合、その延設部として筒状の先筒部を備えるとよい。
【００２１】
この構成において先筒部は、摩擦抵抗を生じさせて抜け止めに資する上に、挿通したワイヤハーネスの動きが被取付け部に直接当たってぐらつくのを防止する緩衝機能を果たす。さらに先筒部の外周面の一部は、凸部間の面の一部と面一であると、プロテクタに対して面接触させやすい。
【００２２】
また前記延設部として筒状の先筒部と、該先筒部の端から延びる舌片状の延設片を備えてもよい。
【００２３】
この構成において先筒部は、前述のように摩擦抵抗を生じさせて抜け止めに資する上に、挿通したワイヤハーネスの動きが被取付け部に直接当たってぐらつくのを防止する緩衝機能を果たす。延設片は、舌片状であるので、グロメットの内面形状に柔軟に対応して摩擦抵抗を生じさせる。延設片を挿通したワイヤハーネスが上にのる位置に形成した場合には、より確実に摩擦抵抗を生じさせる。先筒部の外周面の一部は、凸部間の面の一部と面一であると、プロテクタに対して面接触させやすい。同様に、延設部の外周面の一部は、凸部間の面の一部と面一であると、プロテクタに対して面接触させやすい。延設部の外周面の一部は、先筒部の外周面の一部と面一であるとよい。
【００２４】
このグロメットの発明の態様として、前記被保持部におけるプロテクタ軸方向、又は、グロメット軸方向と平行な面に突起部が形成されたグロメットとしてもよい。
【００２５】
この構成では、突起部は前記平行な面の少なくとも一部が前記平行な面の垂直方向に突出するため、突起部においても抜け止めと回り止めが行える。突起部を軸方向と平行な複数の面のうちの一の側面のみに形成した場合には、嵌合向きの間違いを防止する機能を果たす。突起部は、側面における例えば上下方向の半分より上側の部位など、極力上側部位に形成するとよい。この場合にはプロテクタにおける対応部位の切欠き部を極力小さくして、プロテクタの強度を確保可能である。
【００２６】
課題を解決するための別の手段は、ワイヤハーネスが挿通される保護筒部を備えたグロメットを保持する保持部を端部に有したプロテクタであって、前記保持部に、前記保護筒部の端部に前記保護筒部よりも小径の外周面を有する筒状の元筒部と前記保持部が外嵌合する被保持部を軸方向に沿って基部側から順に備えた前記グロメットの前記被保持部に形成され、前記元筒部の外周面を基準として該基準よりも外周側に突出する複数の凸部が嵌る複数の嵌合凹部が備えられたプロテクタである。
【００２７】
この構成では、保持部に備えた複数の嵌合凹部がグロメットの被保持部の凸部を内側に収めた状態で嵌合し、グロメットの抜け止めと回り止めをする。このときに、嵌合凹部の内面が凸部に面接触して摩擦抵抗を生み、保持力を高める。
【００２８】
このプロテクタの発明の態様として、少なくとも前記保持部がワイヤハーネスを挿通状態で保持する本体部と、該本体部に被着する蓋部を有したプロテクタとするとよい。
【００２９】
この構成では、本体部が、ワイヤハーネスを挿通したグロメットを嵌める部分となり、蓋部を被着すればプロテクタとグロメットの接続状態を得られる。
【００３０】
このプロテクタの発明の態様として、前記嵌合凹部より端部側に、前記嵌合凹部に嵌合した前記グロメットにおける前記凸部の前記元筒部側の面に接する抜け止め片が形成されたプロテクタとしてもよい。
【００３１】
この構成では、嵌合凹部が凸部に嵌って抜け止めと回り止めをする上に、抜け止め片が凸部の元筒部側の面に接して抜け止めをする。抜け止め片よりも軸方向の内側であって抜け止め片と共に嵌合凹部を挟む位置に規制片を備えて、グロメットの過挿入防止をはかってもよい。グロメットの凸部間に平面からなる底を有する凹みがある場合、グロメットの平面に対応する平面部分を備えると、平面部分の近傍に段差ができて、抜け止めと回り止めが行える。
【００３２】
このプロテクタの発明の態様として、前記本体部と前記蓋部に相互に係合する係合構造を有し、該係合構造の幅が、プロテクタ軸方向における前記嵌合凹部の長さよりも長く形成されるとともに、前記係合構造の形成位置が前記嵌合凹部を有する部位とプロテクタ軸方向でオーバーラップする位置に形成されたプロテクタとしてもよい。
【００３３】
この構成では、係合構造が嵌合凹部と凸部の嵌合部分を大きく包み込む状態で本体部と蓋部を係合して、この係合力を嵌合凹部と凸部との嵌合状態の保持に効果的に利用する。
【００３４】
前記係合構造を有する場合、前記係合構造は、板状の係合片と、該係合片が差し込まれる係合溝で構成され、前記係合片の内側に、対向する部材の上縁部が嵌る嵌入部が形成されたプロテクタとしてもよい。「係合片の内側」とは、係合片の一部である場合も、係合片とは別の部位の一部である場合も含む意味である。
【００３５】
この構成では、本体部に蓋部を取り付けると、嵌入部に対して対向する部材の上縁部が嵌り込んで、下側部材と蓋部のずれを防止し、グロメットの適切な保持状態を得る。
【００３６】
このプロテクタの発明の態様として、前記本体部の上縁部に、前記グロメットの前記被保持部におけるプロテクタ軸方向、又は、グロメット軸方向と平行な面に形成され部分的に外方に突出する突起部が嵌る切欠き部が形成され、該切欠き部の大きさが前記突起部と嵌合対応する大きさであるプロテクタとしてもよい。
【００３７】
この構成では、切欠き部がグロメットの突起部を嵌めて積極的に抜け止めと回り止めをするが、切欠き部は本体部の上縁部に、突起部と嵌合対応する大きさであるので、切欠き部の大きさを極力小さくして、プロテクタの強度低下を抑制する。
【発明の効果】
【００３８】
この発明によれば、グロメットとプロテクタとの接続部分の抜け止めと回り止めが高い保持力をもって行える。
【図面の簡単な説明】
【００３９】
【図１】ワイヤハーネス配索体の斜視図。
【図２】グロメットとプロテクタの分解斜視図。
【図３】グロメットの要部の側面図。
【図４】グロメットの要部の正面図。
【図５】グロメットの要部の縦断面図。
【図６】グロメット及びプロテクタの要部の分離状態の側面図。
【図７】図６のＡ−Ａ断面図。
【図８】蓋部の底面図。
【図９】本体部の平面図。
【図１０】グロメットとプロテクタの接続部分の側面図。
【図１１】図１０のＢ−Ｂ断面図。
【図１２】グロメットとプロテクタの接続部分の縦断面図。
【図１３】他の例に係るグロメットの正面図。
【発明を実施するための形態】
【００４０】
この発明を実施するための一形態を、以下図面を用いて説明する。  
図１にワイヤハーネス配索体１１を示す。ワイヤハーネス配索体１１は、ワイヤハーネス１２をグロメット１３とプロテクタ１５に挿通状態で保持したものであって、例えば車両のバックドアのヒンジ部分に装着されてワイヤハーネス１２を配線するために用いられる。このワイヤハーネス配索体１１のグロメット１３は、端部をプロテクタ１５に差し込んだ状態で接続する構造のものである。
【００４１】
グロメット１３は弾性を有するゴム製であり、プロテクタ１５は硬質の合成樹脂製であって、これらは性状の異なるものであるが、端部同士が互いに高い保持力で抜け止めと回り止めがなされた状態で接続される。
【００４２】
まずグロメット１３の構成を説明してから、プロテクタ１５の構成を説明する。
【００４３】
図２はグロメット１３とプロテクタ１５の分離状態の斜視図である。この図に示したようにグロメット１３は、ワイヤハーネス１２を挿通可能な太さで適宜長さの略円筒状である。
【００４４】
グロメット１３は、ワイヤハーネス１２が挿通される保護筒部３１を有している。保護筒部３１は蛇腹状に形成されており、軸方向における一方の端部には車体に形成した穴部（図示せず）に固定される固定部３１ａが形成されている。固定部３１ａはフランジ部などを有する。他方の端部には、プロテクタ１５に接続される接続部３１ｂが形成されている。
【００４５】
接続部３１ｂは、保護筒部３１よりも小径の外周面を有する筒状の元筒部３２と、プロテクタ１５に保持される被保持部３３を、軸方向に沿って基部側から順に備えている。「基部側」とは軸方向の末端よりも軸方向の中間部側のことである。換言すれば、接続部３１ｂは元筒部３２と被保持部３３を軸方向に沿って、軸方向の端に向かって順に備えている。
【００４６】
元筒部３２は、具体的には、蛇腹形状に形成されて大径部と小径部を交互に有する保護筒部３１のうち大径部の直径よりも小さな直径の外周面を有する円筒状である。元筒部３２は保護筒部３１の断面形状に合わせて断面円形としたが、角筒状であってもよい。元筒部３２の軸方向の長さは、図３にも示したように、蛇腹形状の部分の存在意義を没却するほど長くなりすぎない適宜の長さに設定される。
【００４７】
被保持部３３は、軸方向に挟んで保持した場合に十分な強度を有する厚さ（軸方向の長さ）に形成され、複数の凸部３４を有する。これら凸部３４は被保持部３３の周方向に間隔をあけて配設される。凸部３４は、元筒部３２の外周面位置を基準として、この基準よりも外周側に突出する部分であり、適宜の大きさ、適宜の形状に形成される。なお、凸部３４が突出する「外周側」とは、被保持部３３の断面形状の中心部に対する外周側である。
【００４８】
図示例の凸部３４は、元筒部３２の断面形状の中心を上下に通る仮想垂直線で左右対称であるとともに、その中心を通る仮想水平線で上下対称の位置の４カ所に形成されている。ここで、「上下」とは、プロテクタ１５に対する嵌合方向と一致する方向であり、「左右」とは、前述の「上下」方向と直交する方向のうち、グロメット１３の軸方向と直交する方向である。
【００４９】
具体的には凸部３４は、図４に示したように、上下両面における左右方向の両側位置に、それぞれ上あるいは下に延びる概略直方体のブロック形状である。４個の凸部３４の基部には、図５に示したように、元筒部３２の外周面位置を基準としてこの基準よりも外周側に肉盛部３５が形成されて、凸部３４間、つまり上面３６と下面３７と、左右の側面３８は、基準となる元筒部３２の外周面形状と異なる平面で構成されている。図５中の仮想線は、上面３６と下面３７の肉盛部３５がないとした場合の凸部３４内側の側面の形状を示す線である。上面３６と下面３７は互いに平行である。
【００５０】
また左右の側面３８は互いに平行であり、これら側面３８はプロテクタ１５に対する差し込み方向と平行である。上面３６と下面３７は、元筒部３２の外周面に対して接線となる位置に形成されている。つまり、上面３６と下面３７は元筒部３２の外周面の一部と面一の部分を有する。これに対して左右の側面３８は、元筒部３２の外周面よりも若干外周側に突出した位置に形成されている。側面３８の突出量ｔは、被保持部３３に適宜の剛性を付与する適宜の厚さに設定される。
【００５１】
凸部３４のうち上面３６側の凸部３４の高さは、プロテクタ１５の対応部分の厚みに対応させているが、下面３７側の凸部３４の高さはプロテクタ１５の対応部分の厚みよりも若干高く形成している。
【００５２】
すべての凸部３４は、プテクタ１５に対して面接触する接面部３４ａを備えている。図示例の凸部３４の場合は、軸方向の両側の側面と、左右方向の両側の側面の少なくとも一部が接面部３４ａである。
【００５３】
上下に並ぶ凸部３４同士を結ぶ側面３８、つまり被保持部３３における軸方向と平行な面のうちの一方の側面３８に突起部３９が形成されている。突起部３９は図６に示したように側面３８の一部に略直方体形状に形成されており、側面３８の垂直方向に突出している。突起部３９の形成位置は、グロメット１３の中心位置（図６中の一点鎖線参照）よりも上側であり、被保持部３３の厚さ方向の中間である。突起部３９の高さはプロテクタ１５の対応部分の厚みに対応させている。
【００５４】
被保持部３３における元筒部３２と反対側の端部には、プロテクタ１５の内面に面接触する延設部４１が形成されている。延設部４１はプロテクタ１５の内面に接して摩擦抵抗を生じさせる抵抗面４１ａを有している。図示例において、延設部４１は、筒状の先筒部４２と、舌片状の延設片４３の２つを軸方向において被保持部３３側から順に有している。
【００５５】
先筒部４２は、前述の元筒部３２と同径の外周面を有し、軸方向の長さは板状のリブが当接する程度の短円筒形状である。外周面の少なくとも一部が前述の抵抗面４１ａである。先筒部４２の外周面は元筒部３２の外周面と同径であるので、被保持部３３の左右に並ぶ凸部３４間の上面３６及び下面３７の左右方向の中間部分は、元筒部３２及び先筒部４２の外周面と面一になる。
【００５６】
延設片４３は、先筒部４２の下部に形成され、断面円弧状であり、先筒部４２の厚さと同じである。延設片４３の下面の少なくとも一部が前述の抵抗面４１ａである。延設片４３は先筒部４２の下部に形成されているので、挿通するワイヤハーネス１２が上にのることになる。換言すれば延設片４３はワイヤハーネス１２とプロテクタの内面の間に挟まれることになる。延設片４３の幅や長さはプロテクタ１５の形状に応じて、必要な摩擦抵抗を生じさせるのに必要な寸法に設定されている。
【００５７】
延設片４３の厚さは先筒部４２と同じであるので、延設片４３の下面の左右方向の中間部分は、被保持部３３の左右に並ぶ凸部１５間の上面３６及び下面３７の左右方向の中間部分と共に、元筒部３２及び先筒部４２の外周面と面一になる。延設片４３の先端の左右両側には、延設片４３を形成する円の延長方向にのびる突起４３ａが形成されている。これらの突起４３ａは、プロテクタ１５の内面に接触して、延設片４３の不用意な位置ずれを抑制する。
【００５８】
つぎにプロテクタ１５の構成を説明する。  
プロテクタ１５は図２に示したように、グロメット１３の被保持部３３を保持する保持部５１を一方の端部に有している。プロテクタ１５は少なくとも前述の保持部５１が本体部５２と本体部５２に被着する蓋部５３を有し、全体として硬質の合成樹脂で形成されている。図示例のプロテクタ１５は全体が本体部５２と蓋部５３に分かれた構成である。つまりプロテクタ１５は、本体部５２の保持部５１に対してグロメット１３の被保持部３３を軸方向と直交する垂直方向において上から下に向けて差し込んでから蓋部５３を被せるとグロメット１３の接続が行える構成である。
【００５９】
本体部５２は、内側に凹状の収容溝５２ａが形成され、この収容溝５２ａにワイヤハーネス１２が収容される。図６に示したように本体部５２は、グロメット１３の中心位置（図６中の一点鎖線参照）よりも高さが高く形成されている。高さは例えばグロメット１３の被保持部３３の高さのおよそ８０％程度であるとよい。蓋部５３は、本体部５２の左右の側壁５４の外面に被さる垂下片５５を左右両側に有している。蓋部５３も本体部５２と同様に内側に凹状の収容溝５３ａを有する。
【００６０】
本体部５２と蓋部５３の保持部５１は、グロメット１３の元筒部３２の被保持部３３側の部分から先筒部４２までの部分を収められる大きさに形成されている。この保持部５１の軸方向の中間部に、グロメット１３の凸部３４が嵌る複数の嵌合凹部５６を有している。図示例の嵌合凹部５６は貫通穴で形成されており、平面視形状は略正方形である（図７、図８、図９参照）。なお、図８は蓋部の要部の底面図で、図９は本体部の要部の平面図である。
【００６１】
嵌合凹部５６は貫通穴で形成されているので平面視正方形の穴形状を形成する４つの面が凹部形成面５６ａであって、これら凹部形成面５６ａの少なくとも一部がグロメット１３の凸部３４における前述の接面部３４ａと面接触する部分である。高い摩擦抵抗を生じさせるためには嵌合凹部５６と凸部３４のクリアランスはゼロであるのが好ましい。
【００６２】
嵌合凹部５６同士の間の部分は、図６におけるＡ−Ａ断面図である図７に示したように、平面部５７を有しており、本体部５２の平面部５７はグロメット１３の下面３７と面接触する。蓋部５３の平面部５７はグロメット１３の上面３６と面接触する。
【００６３】
本体部５２の左右の側壁５４の内側面間の距離Ｗ１は、グロメット１３の被保持部３３の幅、つまり左右の側面３８間の距離Ｗ２と同じであり、ガタツキなく収まる寸法に設定されている。
【００６４】
グロメット１３の一方の側面には突起部３９を有しているので、本体部５２の対応する側壁５４の上縁部に、グロメット１３の突起部３９が嵌る切欠き部５８が形成されている。図６に示したように、切欠き部５８は突起部３９に嵌合対応する大きさに、側壁５４の上端縁から形成されている。逆に言えば、このような切欠き部５８が形成できる位置に、グロメット１３の突起部３９を形成する。
【００６５】
本体部５２と蓋部５３の嵌合凹部５６より端部側、つまりプロテクタ１５の端部に形成された保持部５１のうち、嵌合凹部５６より端（先端側）の部位には、嵌合凹部５６に嵌合したグロメット１３における凸部３４の元筒部３２側の面に接する抜け止め片５９がリブ状に形成されている。抜け止め片５９は、平面部５７の中間に対応する部位を最も低くする半弧状の上面５９ａを有する板状であり、本体部５２では左右の側壁５４間に、蓋部５３では垂下片５５間に立設されている。抜け止め片５９の内面、つまりグロメット１３における凸部３４の元筒部３２側の面に接する面は、嵌合凹部５６の凹部形成面５６ａと面一である。抜け止め片５９の上面５９ａは、グロメット１３の元筒部３２の外周面に面接触する部分である。
【００６６】
嵌合凹部５６を挟んで抜け止め片５９と対向する位置には、図８、図９に示したように、抜け止め片５９と同様に規制片６１がリブ状に形成されている。規制片６１も平面部５７の中間に対応する部位を最も低くする半円弧状の上面６１ａを有する板状であり、嵌合凹部５６の凹部形成面５６ａと面一に立設されている。
【００６７】
本体部５２と蓋部５３は、相互に係合する係合構造６２を有している。この係合構造６２は、板状の係合片６３と、この係合片６３が差し込まれる係合溝６４で構成される。係合片６３は蓋部５３の左右の垂下片５５の下端から延設されている。係合片６３は先端に係止爪６３ａを有している。係合溝６４は、本体部５２の左右の側壁５４の外側面に、差し込まれた係合片６３を側壁５４に押し付けて保持する形の保持枠６５を形成することで構成される。
【００６８】
蓋部５３の係合片６３の内側、具体的には係止片６より内側の部位には、対向する部材である本体部５２の側壁５４の上縁部が嵌る嵌入部６６を有している。この嵌入部６６を形成する位置には前述した抜け止め片５９が存在するので、垂下片５５に接する位置である抜け止め片５９の端部に切欠き５９ｂが形成されている。
【００６９】
また係合構造６２の幅（軸方向の長さ）Ｌ１は、図９に示したようにプロテクタ１５の軸方向における嵌合凹部５６の長さ、つまり嵌合凹部５６の軸方向の長さＬ２よりも長く形成されており、係合構造６２の形成位置は、嵌合凹部５６を有する部位とプロテクタ１５の軸方向でオーバーラップする位置である。
【００７０】
以上のように構成されたグロメット１３とプロテクタ１５は、次のように使用される。
【００７１】
まずワイヤハーネス１２をグロメット１３に挿通して保持し、グロメット１３の被保持部３３をプロテクタ１５の本体部５２における保持部５１に対して上から差し込む。
【００７２】
グロメット１３の被保持部３３は、元筒部３２も先筒部４２も円筒状であるのにもかかわらず、肉盛部３５を有しており、そのうえ左右の側面３８部分の厚みを元筒部３２や先筒部４２よりも肉厚にして、差し込み方向に沿った平面としているので、形状が崩れにくく、クリアランスがゼロかそれに近い状態であっても差し込み作業が容易に行える。被保持部３３は複数の凸部３４を有するが、これらが上下左右に対称の位置に形成されているので差し込み時のバランスがよいことも、差し込み作業の容易さに貢献する。
【００７３】
差し込みに際しては、グロメット１３の被保持部３３の一方の側面３８のみに突起部３９を形成しているので、グロメット１３の向きを間違えて差し込むことを防止できる。
【００７４】
差し込んだ状態において、被保持部３３は保持部１５にぴたりと収まる。これは、被保持部３３のほとんどの部分が本体部５２に収まっており、グロメット１３の被保持部３３とプロテクタ１５の保持部５１の相対向する部分がほとんどの部分で面接触しているからである。つまり、被保持部３３の左右の側面３８と、凸部３４間の上面３６と下面３７がそれぞれプロテクタ１５の対向部に面接触する。また凸部３４の接面部３４ａを嵌合凹部５６の凹部形成面５６ａに面接触する。この面接触の方向は、前者の側面３８と上面３６と下面３７が内外であるのに対して、後者の凸部３４が軸方向と軸方向に直交する方向であるので、強力な保持状態となる。また、凸部３４は抜け止め片５９と規制片６１によって挟み込まれた状態となって面接触し、そのうえ抜け止め片５９と規制片６１の上面５９ａ，６１ａも先筒部４２の外周面に面接触し、さらに延設片４３も保持部５１の内面から収容溝５２ａの内面に向けてのびた状態で面接触するので、がたつきのない嵌合状態を得られる。
【００７５】
このような一体化されたような状態のグロメット１３と本体部５２において、ワイヤハーネス１２を本体部５２の収容溝５２ａに適切に収容してから、蓋部５３を本体部５２に嵌める。蓋部５３の被着は、係合構造６２を構成する係合片６３を係合溝６４に差し込んで行う。係合片６３の内側位置に嵌入部６６を形成しているので、嵌合が位置ずれせずに正しく行える。
【００７６】
図１０は蓋部５３を被着してグロメット１３を結合した状態の側面図であり、図１１は図１０のＢ−Ｂ断面図である。これらの図に示すように、本体部５２と蓋部５３は係合構造６２で一体化され、図１１や、接続部分における軸線方向に沿った断面図である図１２に示したように、グロメット１３の被保持部３３における凸部３４の頂面を除くほとんどの部分が前述のようにプロテクタ１５の内面に面接触する。このため、各部で摩擦抵抗が生じて、高い保持力を持って抜け止めと回り止めがなされることになる。
【００７７】
しかも、係合構造６２の係合力が発揮する部分に抜け止めと回り止めの主な構成である凸部３４と嵌合凹部５６が存在するので、より一層、グロメット１３とプロテクタ１５の接続部分の保持力を高めることができる。
【００７８】
グロメット１３には突起部３９を有し、この突起部３９が本体部５２の切欠き部５８に嵌合するので、この点でも回り止めや抜け止めに資するが、本体部５２の切欠き部５８は、高さを高くした側壁５４の上縁部に必要最小限の大きさに形成したので、切欠き部５８が深く形成された場合と比べて、プロテクタ１５の強度の低下を抑えることができる。このため、接続部分の保持力を十分に確保でき、高い保持力の実現に貢献する。
【００７９】
また、図１２に示したように、グロメット１３の元筒部３２と下面３７と先筒部４２と延設片４３の下面に面一状の部分を有しているので、延設片４３を本体部５２の内面に十分に面接触させることができる。しかも、延設片４３の上にはワイヤハーネス１２がのるので、荷重もかかって、より高い摩擦抵抗を生むことができる。
【００８０】
以上のように、前述のグロメット１３とプロテクタ１５を用いると、両者の接続が別部材を必要とせずに簡単に行える。しかも、接続部分は方向性の異なる多くの部分で面接触して摩擦抵抗を高めるので、接続部分の抜け止めと回り止めが高い保持力をもって行える。
【００８１】
前述の構成はこの発明を実施するための一例であり、この発明はその他の構成を採用することもできる。
【００８２】
たとえば、図１３に示したように、凸部３４を下に２個、上に１個などとしてもよい。
【００８３】
また、嵌合凹部は、貫通穴ではなく、底のある閉じた形状の穴であってもよい。この場合の凹部形成面は、穴の輪郭を形成する内側の周囲の面と、底を形成する内底面であり、内底面には凸部の嵌合がしやすいように貫通穴をあけるとよい。この場合には前述と異なり、凸部の側面だけではなく先端面も接面部の少なくとも一部となる。
【符号の説明】
【００８４】
１１…ワイヤハーネス配索体
１２…ワイヤハーネス
１３…グロメット
１５…プロテクタ
３１…保護筒部
３２…元筒部
３３…被保持部
３４…凸部
３４ａ…接面部
３５…肉盛部
３８…側面
３９…突起部
４１…延設部
４１ａ…抵抗面
４２…先筒部
４３…延設片
５１…保持部
５２…本体部
５３…蓋部
５６…嵌合凹部
５６ａ…凹部形成面
５８…切欠き部
５９…抜け止め片
６２…係合構造
６３…係合片
６４…係合溝
６６…嵌入部
【図１】
2018042317.tif 000003
【図２】
2018042317.tif 000004
【図３】
2018042317.tif 000005
【図４】
2018042317.tif 000006
【図５】
2018042317.tif 000007
【図６】
2018042317.tif 000008
【図７】
2018042317.tif 000009
【図８】
2018042317.tif 000010
【図９】
2018042317.tif 000011
【図１０】
2018042317.tif 000012
【図１１】
2018042317.tif 000013
【図１２】
2018042317.tif 000014
【図１３】
2018042317.tif 000015